Podtech/llm-jp-corpus-v4-ja_patent huggingface dataset:
(57)【要約】【課題】外部より所定の機能を切替えることが容易でメンテナンス性のよい制御ユニットを提供することを目的とする。【解決手段】第１のケース３に対してジャンパー線２の実装部分近傍に窓部６を設けるものとしたため、第１のケース３から銘板５をとりはずす手順のみでジャンパー線２を切断することが可能となり、外部より容易に所定の機能を切替えることができる。【選択図】  図１
2004153219.tif 000002
【特許請求の範囲】
【請求項１】
あらかじめ規定された所定の切替機能を備えるプリント配線板と、前記プリント配線板の部品面側に実装し、切替手段となるジャンパー線と、前記プリント配線板を内部にとりつける第１のケースと、前記第１のケースの下部にとりつける第２のケースと、前記ジャンパー線の実装部分近傍に設けた前記第１のケースの窓部と、前記第１のケースの上部にとりつけ、前記窓部を覆う銘板を有する制御ユニット。
【請求項２】
プリント配線板を部品面側を下としてとりつけ、前記プリント配線板に対してジャンパー線の実装部分に設けた開口部を有する請求項１に記載の制御ユニット。
【発明の詳細な説明】
【０００１】
【発明の属する技術分野】
本発明は制御ユニットに関するものである。
【０００２】
【従来の技術】
従来のこの種の制御ユニットは、図３に示すような構成になっている。図３において、１はあらかじめ規定された所定の切替機能を備えるプリント配線板、２はプリント配線板１の部品面側に実装し、切替手段となるジャンパー線、３はプリント配線板１を内部にとりつける第１のケース、４は第１のケース３の下部にとりつける第２のケース、５は第１のケース３の上部にとりつける銘板である（例えば、特許文献１参照）。
【０００３】
【特許文献１】
特開２００１−１６０６６０公報
【０００４】
【発明が解決しようとする課題】
しかしながら、前記従来の構成の制御ユニットでは、あらかじめ規定された所定の機能を切替えるためには、第２のケースを第１のケースからとりはずし、次に第１のケースからプリント配線板を取り外した後、ジャンパー線を工具等で切断するという手順が必要であり、メンテナンス性が悪くなるという課題を有していた。
【０００５】
本発明は、前記従来の課題を解決するもので、外部より所定の機能を切替えることが容易でメンテナンス性のよい制御ユニットを提供することを目的とする。
【０００６】
【課題を解決するための手段】
前記従来の課題を解決するために、本発明の制御ユニットは、第１のケースのジャンパー線の実装部分近傍に窓部を設けるものとしたのである。
【０００７】
これによって、第１のケースから銘板をとりはずし、ジャンパー線を切断することが可能となり、外部より容易に所定の機能を切替えることができる。
【０００８】
【発明の実施の形態】
請求項１に記載の発明は、第１のケースのジャンパー線の実装部分近傍に窓部を設けるものとしたため、第１のケースから銘板をとりはずす手順のみでジャンパー線を切断することが可能であり、外部より容易に所定の機能を切替えることができる。
【０００９】
請求項２に記載の発明は、プリント配線板に対してジャンパー線の実装部分に開口部を設けるものとしたため、プリント配線板が部品面側を下としてとりついている場合であっても、第１のケースから銘板をとりはずす手順のみでジャンパー線を切断することが可能であり、外部より容易に所定の機能を切替えることができる。
【００１０】
【実施例】
以下、本発明の実施例について、図面を参照しながら説明する。
【００１１】
（実施例１）
図１は本発明の第１の実施例における制御ユニットの断面図である。なお、従来例と同様な構成には同一符号を付した。
【００１２】
図１において、１は制御コード等のあらかじめ規定された所定の切替機能を備えるプリント配線板、２はプリント配線板１の部品面側に実装し、切替手段となるジャンパー線、３はプリント配線板１を内部にとりつける第１のケース、４は第１のケース３の下部にとりつける第２のケース、５は第１のケース３の上部にとりつける銘板、６は第１のケース３に対しジャンパー線２の実装部分近傍に設けた窓部である。
【００１３】
以上のように構成された制御ユニットで所定の機能を切替える手順は次のようになる。まず第１のケース３から銘板５をとりはずす。そうすると第１のケース３には窓部６が設けられているため、プリント配線板１の部品面に実装されているジャンパー線２は外部から確認できる状態となる。そして窓部６を通して工具を第１のケース３の内部に入れてジャンパー線２を切断する。
【００１４】
以上のように、本実施例においては第１のケース３に対しジャンパー線２の実装部分近傍に窓部６を設けることにより、第１のケース３から銘板５をとりはずすだけでジャンパー線２を切断することが可能となり、外部より容易に所定の機能を切替えることができる。
【００１５】
（実施例２）
図２は本発明の第２の実施例における制御ユニットの断面図である。
【００１６】
図２において、１は制御コード等のあらかじめ規定された所定の切替機能を備えるプリント配線板、２はプリント配線板１の部品面側に実装し、切替手段となるジャンパー線、３はプリント配線板１を内部にとりつける第１のケース、４は第１のケース３の下部にとりつける第２のケース、５は第１のケース３の上部にとりつける銘板、６は第１のケース３に対しジャンパー線２の実装部分近傍に設けた窓部、７はプリント配線板１に対してジャンパー線２の実装部分に設けた開口部で、実施例１の構成と異なるところはプリント配線板１が他の構成部品の制約等の条件により部品面を下側にして第１のケース３にとりつけられている点と、プリント配線板１に開口部７を設けた点である。
【００１７】
以上のように構成された制御ユニットで所定の機能を切替える手順は次のようになる。まず第１のケース３から銘板５をとりはずす。そうすると第１のケース３には窓部６が、プリント配線板１には開口部７がそれぞれ設けられているため、部品面を下側にしてとりつけられているプリント配線板１の部品面に実装されているジャンパー線２は外部から確認できる状態となる。そして窓部６を通して工具を第１のケース３の内部に入れ、さらに開口部７を通してプリント配線板１越しにジャンパー線２を切断する。
【００１８】
以上において本実施例では、第１のケース３に対しジャンパー線２の実装部分近傍に窓部６を、プリント配線板１に対してジャンパー線２の実装部分に開口部７を設けるものとしたため、プリント配線板１が部品面側を下としてとりついている場合であっても、第１のケース３から銘板５をとりはずすだけでジャンパー線２を切断することが可能となり、外部より容易に所定の機能を切替えることができる。
【００１９】
【発明の効果】
以上のように、本発明によれば、プリント配線板を納めたケースの外部より容易に所定の機能を切替えることができる。
【図面の簡単な説明】
【図１】本発明の実施例１の制御ユニットの断面図
【図２】本発明の実施例２の制御ユニットの断面図
【図３】従来の制御ユニットの断面図
【符号の説明】
１  プリント配線板
２  ジャンパー線
３  第１のケース
４  第２のケース
５  銘板
６  窓部
７  開口部
【図１】
2004153219.tif 000003
【図２】
2004153219.tif 000004
【図３】
2004153219.tif 000005
(57)【要約】【課題】高発熱性の電子部品を面実装できるようにする。【解決手段】内部に銅箔層９を備えた基板１における面実装型電子部品６の実装部位に、基板内部の銅箔層９に連なる複数のスルーホール１１を設けてある。【選択図】        図２
2004153142.tif 000002
【特許請求の範囲】
【請求項１】
内部に銅箔層を備えた基板における面実装型の電子部品の実装部位に、基板内部の前記銅箔層に連なる複数のスルーホールを設けてあることを特徴とする電子回路基板。
【請求項２】
前記銅箔層を複数領域に分断し、前記スルーホールの上に発熱の多い電子部品を実装するとともに、スルーホールに連なる銅箔層領域と異なる他の銅箔層領域に熱影響を受けることを避けたい電子部品の実装部位を位置させてあることを特徴とする請求項１記載の電子回路基板。
【発明の詳細な説明】
【０００１】
【発明の属する技術分野】
本発明は、電子部品からの放熱構造に特徴を有する電子回路基板に関する。
【０００２】
【従来の技術】
従来、電源ＩＣや出力段トランジスタなどの高発熱性の電子部品を実装した電子回路基板においては、これらの電子部品をリード部品に構成して放熱板に取り付けることで放熱性を確保する手段が多く採用されている。また、これらの電子部品を面実装可能に構成するために、ＩＣパケージ基板の基材に熱伝導性に優れた金属板を用いて放熱性を高めることも提案されている（例えば、特許文献１参照）。
【０００３】
【特許文献１】
特開平１０−２８４６４２号公報
【０００４】
【発明が解決しようとする課題】
リード部品は手作業により組付けることが多く、生産性の向上および品質の安定化の点から、搭載する電子部品をできるだけ面実装型に切り換えてゆくことが望まれているのであるが、高発熱性の電子部品を面実装品にすると放熱性が問題となる。
【０００５】
また、放熱性を高めた構造の面実装型電子部品は概して高価につきやすく、実用上に難点があった。
【０００６】
本発明は、このような点に着目してなされたものであって、放熱手段を工夫することで高発熱性の電子部品を面実装できるようにすることを目的とする。
【０００７】
【課題を解決するための手段】
〔請求項１に係る発明の構成、作用、および効果〕
【０００８】
請求項１に係る発明は、内部に銅箔層を備えた基板における面実装型の電子部品の実装部位に、基板内部の前記銅箔層に連なる複数のスルーホールを設けてあることを特徴とする。
【０００９】
上記構成によると、スルーホールの上に搭載された面実装型の電子部品から発生した熱はスルーホールを通って基板内部の銅箔層に伝わり、銅箔層の広い面積にわたって拡散される。
【００１０】
従って、請求項１の発明によると、発熱の多い電子部品の面実装化が可能となり、電子部品の自動組付けが可能になって生産性が向上するとともに、放熱板などの装着が不要となって電子回路ユニットの小型化に寄与する。
【００１１】
〔請求項２に係る発明の構成、作用、および効果〕
【００１２】
請求項２に係る発明は、請求項１の発明において、前記銅箔層を複数領域に分断し、前記スルーホールの上に発熱の多い電子部品を実装するとともに、スルーホールに連なる銅箔層領域と異なる他の銅箔層領域に熱影響を受けることを避けたい電子部品の実装部位を位置させてあることを特徴とする。
【００１３】
上記構成によると、スルーホールの上に搭載された電子部品から発生した熱はスルーホールを通って基板内部の銅箔層に伝わり、銅箔層の広い面積にわたって拡散されるが、分断された他の銅箔層領域に熱が伝播することはない。
【００１４】
従って、請求項２の発明によると、ＣＰＵや発振素子などの電子部品を高発熱性の電子部品からの熱的悪影響を受けることなく実装することができる。
【００１５】
【発明の実施の形態】
図１に、本発明に係る電子回路基板１を使用した電子回路ユニットが示されている。このユニットは、各種電子部品を実装した基板１を樹脂製のケース２に収容してウレタン樹脂などのポッティング材３を充填して絶縁したものに構成されており、基板１の表面Ｓ１に、コネクタ４、各種のリード部品５、および、面実装型の電子部品６、および、チップ部品７が実装されるとともに、基板１の裏面Ｓ２にも各種の面実装型の電子部品６、および、チップ部品７が実装されて、所望の電子回路が構成されている。
【００１６】
前記基板１には、ガラスエポキシ樹脂を基材とした４層基板が利用されており、図２に示すように、表裏面に回路パターン８が形成されるとともに、内部に２層の銅箔層９を備え、また、表裏面には保護用のレジスト膜１０が設けられている。
【００１７】
銅箔層９はグランドラインを構成するものであり、図３に示すように、２つの銅箔層領域Ａ，Ｂに分断されている。そして、一方の銅箔層領域Ａに重複する回路パターン上に、高発熱性の電子部品である電源ＩＣ６（ａ）が面実装されるとともに、他方の銅箔層領域Ｂに重複する回路パターン上に、熱影響を受けることを避けたい電子部品であるＣＰＵ６（ｂ）やクリスタル発振素子６（ｄ）など，が面実装されている。また、電源ＩＣ６（ａ）の実装部位には多数のスルーホール１１が形成されて、基板内部の銅箔層９に連通接続されている。
【００１８】
この構成によると、スルーホール１１の上に搭載された電源ＩＣ６（ａ）から発生した熱はスルーホール１１を通って基板内部の銅箔層９に伝わり、銅箔層領域Ａを構成する銅箔層９の広い面積にわたって拡散される。この場合、ＣＰＵ６（ｂ）やクリスタル発振素子６（ｄ）を実装した銅箔層領域Ｂの銅箔層９は、銅箔層領域Ａを構成する銅箔層９とは分断されているので、電源ＩＣ６（ａ）から発生した熱が銅箔層領域Ｂに伝播することは少ない。
【図面の簡単な説明】
【図１】電子回路ユニットの縦断側面図
【図２】基板の断面図
【図３】基板の概略平面図
【図４】要部の斜視図
【符号の説明】
１                基板
６                面実装型の電子部品
６（ａ）          電子部品
６（ｂ）          電子部品
６（ｄ）          電子部品
９                銅箔層
１１              スルーホール
Ａ                銅箔層領域
Ｂ                銅箔層領域
【図１】
2004153142.tif 000003
【図２】
2004153142.tif 000004
【図３】
2004153142.tif 000005
【図４】
2004153142.tif 000006
(57)【要約】【課題】従来家庭用のＡＶ機器や情報機器は形状もそれぞれ異なり、またそれらを繋ぐ各種配線も多岐にわたり、見た目に悪いだけでなく機器の操作や設置にも煩雑を極めていた。またプラズマテレビや液晶テレビ等の薄型テレビが出現しているにもかかわらずそれらに対応するＡＶ機器や情報機器の形状のスリム化が計られていない。【解決手段】家庭用のＡＶ機器や情報機器の形状をスリムに統一化し、それらを１つのラックに収納し、さらに１つのリモコンで操作できるようにする。また各種の配線接続形状をまとめて統一化することで機器をセットするだけで配線無しで必要な機器を接続可能とする。【選択図】            図１
2004153771.tif 000002
【特許請求の範囲】
【請求項１】
家庭用のＡＶ機器や情報機器の形状を統一しそれらをシステム機器パーツとして、その中から必要な機器を自由に選択し組み込むことができるラック。システム機器パーツは、ＤＶＤ及びＣＤプレイヤー、ラジオ及びＭＤプレイヤー、ＣＡＴＶ信号変換機、パソコン本体及びパソコン用の各種ハード媒体プレイヤー、ゲーム用パソコン、電話機本体などからなる。
【請求項２】
前記ラックは外部とは各１本の電力プラグ、テレビ又はＣＡＴＶ端子ジャック、電話又はＩＳＤＮ端子ジャックで接続することができる。ラックに組み込まれる各システム機器パーツには各１本の電力コンセント、テレビ又はＣＡＴＶ端子、電話又はＩＳＤＮ端子、出力端子、入力端子、ラジオアンテナ端子を提供する。
【請求項３】
前記ラックにはＡＶシステム及びその機能拡張モジュールを組み込み、各システム機器パーツの操作はテレビ画面を見ながら１つのリモコンで行う。
【請求項４】
システム機器パーツと、前記ラックの電力コンセント、テレビ又はＣＡＴＶ端子、電話又はＩＳＤＮ端子、出力端子、入力端子、ラジオアンテナ端子との接続形状の統一。
【請求項５】
前記ラックでシステム機器パーツが選択されず空きスペースとなる部分に組み込むための、システム機器パーツと同じ形状の収納ボックスを用意する。
【請求項６】
電話の子機機能の前記リモコンへの組み込み。
【請求項７】
パソコン本体とディスプレイ、キーボードを分離し、ディスプレイ機能はテレビ画面を用い、キーボードは赤外線でパソコン本体と通信する。
【発明の詳細な説明】
【０００１】
本発明は、家庭用のＡＶ機器や情報機器の形状をスリムに統一化し、それらを１つのラックに収納し、さらに１つのリモコンで操作できるようにする。また各種の配線もラックに収納しこれらの接続形状を統一化することで機器をセットするだけで配線無しで必要な機器を接続可能とする。
【０００２】
従来家庭用のＡＶ機器や情報機器は形状もそれぞれ異なり、またそれらを繋ぐ各種配線も多岐にわたり、見た目に悪いだけでなく機器の操作や設置にも煩雑を極めていた。またプラズマテレビや液晶テレビ等の薄型テレビが出現しているにもかかわらずそれらに対応するＡＶ機器や情報機器の形状のスリム化が計られていない。
【０００３】
本発明は、家庭用の各種のＡＶ機器や情報機器の見た目やそれらを繋ぐ各種配線もすっきりと美しく機器の操作や設置も簡単化する。またこれらのＡＶ機器や情報機器の形状をスリム化しプラズマテレビや液晶テレビ等、テレビの薄型化に対応する。
【０００４】
これを実現するために本発明は、家庭用のＡＶ機器や情報機器の形状をスリムに統一化し、それらを１つのラックに収納し、さらに１つのリモコンで操作できるようにする。また各種の配線もラックに収納しこれらの接続形状を統一化することで機器をセットするだけで配線無しで必要な機器を接続可能とする。
【０００５】
また付帯機能としてリモコン送信機に電話受話器機能を組み込み、また本システムに組み込むことが可能なパソコンはキーボード分離携帯化し利便を図る。
【図面の簡単な説明】
【図１】本発明のＡＶシステムラックとそれに組み込んだシステム機器パーツ、及び市販のプラズマテレビ又は液晶テレビの全体図の例。
【図２】本発明のＡＶシステムラックの全体図の例。
【図３】本発明のＡＶシステムラックに組み込むことができるシステム機器パーツの１つの前面概観図の例。
【図４】本発明のＡＶシステムラックに組み込むことができるシステム機器パーツの１つの背面概観図の例。
【図５】本発明のＡＶシステムラックに組み込むことができる収納ボックスの前面概観図の例。
【図６】本発明のＡＶシステムラックに内蔵される電力配線図。
【図７】本発明のＡＶシステムラックに内蔵されるテレビ又はＣＡＴＶ情報線配線図。
【図８】本発明のＡＶシステムラックに内蔵される電話線配線図。
【図９】本発明のＡＶシステムラックに内蔵されるラジオ情報線配線図
【図１０】本発明のＡＶシステムラックに内蔵されるＡＶシステム及びその機能拡張モジュールの入出力配線図。
【図１１】本発明のＡＶシステムラックに組み込むことができるシステム機器パーツの１つであるＤＶＤ及びＣＤプレイヤーの概念図。
【図１２】本発明のＡＶシステムラックに組み込むことができるシステム機器パーツの１つであるラジオ及びＭＤプレイヤーの概念図。
【図１３】本発明のＡＶシステムラックに組み込むことができるシステム機器パーツの１つであるＣＡＴＶ信号変換機の概念図。
【図１４】本発明のＡＶシステムラックに組み込むことができるシステム機器パーツの１つであるパソコン本体及びパソコン用の各種ハード媒体プレイヤーの概念図。
【図１５】本発明のＡＶシステムラックに組み込むことができるシステム機器パーツの１つであるゲーム用パソコンの概念図。
【図１６】本発明のＡＶシステムラックに組み込むことができるシステム機器パーツの１つである電話機本体の概念図。
【符号の説明】
１  市販のプラズマテレビ又は液晶テレビ。
２  本発明のＡＶシステムラック。
３  本発明のＡＶシステムラックに組み込むことができるシステム機器パーツ。
４  本発明のＡＶシステムラックに組み込まれる各システム機器パーツに提供する、統一化した各１本の電力コンセント、テレビ又はＣＡＴＶ端子、電話又はＩＳＤＮ端子、出力端子、入力端子、ラジオアンテナ端子。
５  ストッパー付移動車輪。
６  取手。
７  システム機器パーツの、前記ラックの電力コンセント、テレビ又はＣＡＴＶ端子、電話又はＩＳＤＮ端子、出力端子、入力端子、ラジオアンテナ端子との接続部分。
【図１】
2004153771.tif 000003
【図２】
2004153771.tif 000004
【図３】
2004153771.tif 000005
【図４】
2004153771.tif 000006
【図５】
2004153771.tif 000007
【図６】
2004153771.tif 000008
【図７】
2004153771.tif 000009
【図８】
2004153771.tif 000010
【図９】
2004153771.tif 000011
【図１０】
2004153771.tif 000012
【図１１】
2004153771.tif 000013
【図１２】
2004153771.tif 000014
【図１３】
2004153771.tif 000015
【図１４】
2004153771.tif 000016
【図１５】
2004153771.tif 000017
【図１６】
2004153771.tif 000018
(57)【要約】      （修正有）【課題】農地、土壌の改良及び環境浄化のために農作物の抗菌防虫剤の製造及び使用方法を提供する。【解決手段】（１）酸化チタン薬剤を混合して加熱し、ナノ酸化チタンを製造使用する。（２）農地及びゴルフ場緑地、公園、街旅樹の土壌改良、抗菌防虫剤として光触媒の酸化チタンを使用する。（３）稲ワラ、麦ワラ、全ての植物の乾燥物の抗菌、防虫効果のために酸化チタンを使用する。（４）農産物、果実、野菜、穀物、花、樹、茶、等を光触媒による酸化チタンを散布使用する。（５）農産物に使用した農薬の残留農薬を分解させるため光触媒効果の酸化チタンを散布使用する。（６）全ての農業用水の浄化に酸化チタンを使用する事によりその光触媒で有害物質を浄化するため使用する。【効果】抗菌、防虫及び残留農薬の分散により、農地、土壌が改良され、また環境が浄化される。【選択図】なし【特許請求の範囲】
【請求項１】
（１）  酸化チタンに有機酸又は、無機酸を混合して８００度に過熱粉砕してナノ酸化チタンを製造及び使用する又、農地改良農作物の抗菌、防虫剤に使用する事
（２）  農地に酸化チタンの粉末又は液体を散布すると農作物に対して酸化チタン液体を散布し光触媒で抗菌、防虫効果があるため農地の改良及び環境浄化として使用する
（３）  酸化チタンの光触媒により全ての農業用水の浄化及び有害物質を除去し又雑菌を死滅させる為に使用する
（４）  果実、野菜、穀物、花、樹類、茶、等に対する鮮度を保持するため酸化チタンを使用する
（５）  稲ワラ、麦ワラ又は全ての植物の乾燥物を酸化チタンを使用する事でその光触媒により抗菌、防虫効果のため使用する
（６）  公園緑地及び、ゴルフ場又は街路樹等に酸化チタンを散布する事によりその光触媒で抗菌、防虫及び環境浄化をするために使用する
【発明の詳細な説明】
［産業上の利用分野］
酸化チタンの粉末及び液体を農地に散布する事で農地土壌改良、抗菌、防虫効果があり環境浄化にもなる。農産物、果実、野菜、果樹、穀物、茶に酸化チタンを散布する事で農産物の有害物質を分散させる。そのため優れた品質の農産物が生産でき、経済的な効果は計り知れない
［従来の技術］
農地農産物に対しては主として農薬等が使用されていたため、環境破壊、又残留農薬等が社会問題となっているのが現状であるが光触媒酸化チタンを使用する事で残留農薬が分解され農業に対しての革命となる
［発明が解決しようとする課題］
本発明の目的は農地の土壌改良農産物の抗菌、防虫、環境浄化等で社会問題を解決する。特に、農産物に散布するとリン酸化合物及び塩酸化化合物等の残留が酸化チタンの光触媒によって分解され最も安全で品質の優れた農産物が生産される
［課題を解決するための手段］
本発明の酸化チタンによる光触媒によってダイオキシン等の有害物質が分解されるため農地、土壌の改良、ゴルフ場、庭園、公園、街路樹その他の公共の場所での抗菌、防虫作用によって大気汚染の心配が無くなる。又環境汚染などの問題が解決するため社会に大いに貢献する。又残留農薬の分解により安全で優れた品質の農産物が生産され、そして増産される
［作  用］
抗菌、防虫、消臭、汚染及び環境浄化、リン酸化合物、塩酸化合物等の分解等により細菌を死滅させる作用がある
［実施例］
酸化チタンを１，０００倍〜３，０００倍に希釈して農地及び農産物に散布する
［発明の効果］
農地土壌の改良及び抗菌、防虫、又農産物に対しては抗菌、防虫及び残留農薬を分散して細菌を死滅させるため環境が浄化される
(57)【要約】  【課題】  ＨＦＣ又はペンタン基材発泡剤をポリオール中に含有させてなるフォームプレミックスの加工性を向上させる方法を提供する。  【解決手段】  トランス−１，２−ジクロルエチレンをプレミックスに該プレミックスの加工性を向上させるのに有効な量で添加することを構成要件とする。【選択図】  なし【特許請求の範囲】
【請求項１】
ＨＦＣ又はペンタン基材発泡剤をポリオール中に含有させてなるフォームプレミックスの加工性を向上させる方法において、トランス−１，２−ジクロルエチレンをプレミックスに該プレミックスの加工性を向上させるのに有効な量で添加することからなるフォームプレミックスの加工性の向上法。
【請求項２】
ポリオールがポリエステルポリオールである請求項１記載の方法。
【請求項３】
ＨＦＣが２４５ｆａ、３６５ｍｆｃ又は１３４ａである請求項１記載の方法。
【請求項４】
ペンタンがｎ−ペンタン又はイソペンタンである請求項１記載の方法。
【請求項５】
発泡剤及びポリマーを含有するフォームプレミックスの加工性を向上させる方法において、トランス−１，２−ジクロルエチレンをプレミックスに該プレミックスの加工性を向上させるのに有効な量で添加することからなるフォームプレミックスの加工性の向上法。
【請求項６】
プレミックスが少なくとも１種のヒドロフルオロカーボン発泡剤を含有する請求項５記載の方法。
【請求項７】
プレミックスが少なくとも１種の炭化水素発泡剤を含有する請求項５記載の方法。
【発明の詳細な説明】
【技術分野】
【０００１】
本発明は、向上した“加工性”を有するフォームプレミックスを提供するために、即ち、発泡剤がポリオールと単相系を形成し、及び／又は発泡剤がポリオール中で向上した溶解性を有し、及び／又はプレミックスの蒸気圧が低下され、及び／又はプレミックスが低下した粘度を有するようなフォームプレミックスを提供するためにトランス−１，２−ジクロルエチレン（“トランス−１，２”）をヒドロフロロカーボン（“ＨＦＣ”）及び／又はペンタン基材発泡剤に添加することに関する。
【背景技術】
【０００２】
ＨＦＣ及びペンタンの如きＺｅｒｏ  ＯＤＰ（ozone depletion potential）化合物は、フォーム発泡剤としてクロロフルオロカーボン（ＣＦＣ）及びヒドロクロロフルオロカーボン（ＨＣＦＣ）の代替物として認められている。しかしながら、ＨＣＦＣ−１４１ｂ（１，１−ジクロル−１−フルオルエタン）とは違って、１，１，１，３，３−ペンタフルオルプロパン（“２４５ｆａ”）、１，１，１，３，３−ペンタフルオルブタン（“３６５ｍｆｃ”）及び１，１，１，２−テトラフルオルエタン（“１３４ａ”）の如きＨＦＣは、ポリオール特にポリエステルポリオールの如きポリウレタン原料との限定された混和性を有するだけである。ｎ−ペンタン及びイソペンタンの如き炭化水素では、ポリオール特にポリエステルポリオールとのそれらの混和性も低い。この低い混和性は、いくつかの望ましくない加工問題、例えば、一様でないフォーム生成をもたらすプレミックスの相分離、得られるエマルジョンに付随する高い粘度、混合の困難性及び高い蒸気圧をもたらす。かくして、これらの加工上の問題を新規な発泡剤代替物で打破する手段が要求されている。
【０００３】
トランス−１，２は、米国特許５１９６１３７におけるように共沸混合物のような発泡剤混合物中の成分として記載されているが、プレミックス相容化剤としてのその開示は示されていない。
【特許文献１】米国特許５１９６１３７号明細書
【発明の開示】
【課題を解決するための手段】
【０００４】
発明の概要
ＨＦＣ又はペンタン基材発泡剤をポリオール（特に、ポリエステルポリオール）中に含有させてなるフォームプレミックスの加工性を向上させる方法であって、トランス−１，２をプレミックスに該プレミックスの加工性を向上させるのに有効な量で添加することからなるフォームプレミックスの加工性の向上法が提供される。好ましいＨＦＣとしては、２４５ｆａ、３６５ｍｆｃ及び１３４ａが挙げられる。好ましいペンタンとしては、ｎ−ペンタン及びイソペンタンが挙げられる。
【発明を実施するための最良の形態】
【０００５】
好ましい具体例の説明
ここに本発明において、驚いたことに、トランス−１，２の使用は、ポリオールプレミックス中におけるＨＦＣ及び／又はペンタンの加工性及び相容性を向上させることが分かった。この改善を達成するのに有効な量は特定の発泡剤及びポリオールのタイプに左右されるが、この改善は、ポリエステルポリオールの場合に特に有益であることが判明している。プレミックスは、ハンドミックス、高圧衝突、低圧機械的混合、吹付などの如き慣用技術によってポリウレタンフォームに転化されることができる。また、ＨＦＣ及び／又はペンタン発泡剤と共に補助発泡剤、例えば、水、ＨＣＦＣ及びヒドロクロロカーボンも存在させてもよい。
【０００６】
発泡剤は、フォーム組成物の“Ａ”及び“Ｂ”側の間に分配させることができる。また、その全部又はその一部分を第三流れとして注入又は混合時点で添加することもできる。
【０００７】
プレミックス及びフォーム配合物中の他の成分は慣用されているものであってよく、そしてこれらに成分及びそれらの割合は当業者には周知である。例えば、難燃剤、界面活性剤及びポリオールはプレミックス（Ｂ−側）の典型的な成分であり、これに対してＡ−側は主としてポリイソシアネートからなる。フォームを形成するに当たって、Ａ及びＢ側は典型的には一緒に混合され、次いで触媒が注入され、その後にその混合物が型又は箱に注入される。
【実施例】
【０００８】
次の実施例において本発明の実施態様をより詳細に例示するが、これは、本発明を限定するものではない。最初に、ポリエステルポリオール（ステパン・カンパニーから入手できる２３０〜２５０のヒドロキシル数を有する「Ｓｔｅｐａｎｏｌ  ＰＳ２４１２」）中で、トランス−１，２を使用して又は使用せずにＨＦＣ発泡剤（２４５ｆａ及び３６５ｍｆｃ）の相容性を試験した。３９部の２４５ｆａをトランス−１，２なしに１００部のポリエステルポリオールに添加すると、相分離が生じた。トランス−１，２を２４５ｆａに５０／５０重量比で添加すると、約５０部の２４５ｆａ対１００部のポリオールに相当するレベルで単相ポリオール混合物が得られた。２４５ｆａの代わりに３６５ｍｆｃを使用すると、同様の結果が得られた。次に、ポリエステル及びポリエステルポリオール中の１３４ａ及び１３４ａ／トランス−１，２混合物の蒸気圧を測定した。両方のポリオールにおいて、トランス−１，２の添加はプレミックスの蒸気圧を下げることが分かったが、この改善は、ポリエステルポリオールの場合に最も大きいことが分かった。
(57)【要約】【課題】ズボンあるいはカバーオールがずり上がり、赤ちゃんの足のすねが出るのを防止し、また、足先が突っ張らない為の足用袋付ズボンあるいはカバーオールを提供する。【解決手段】ズボン（１）の裾に足用袋（２）を縫い付け、そのつなぎ部分（３）に足首用ゴム（４）を通し、ズボンの両脇部に丈用ゴム（５）を伸ばした状態で縫い付けた事を特徴とする。【選択図】        図１
2004323984.tif 000002
【特許請求の範囲】
【請求項１】
ズボン部とズボン部左右先端に各々設けられた足用袋と、足首部にゴムや伸縮生地等により設けられた足首伸縮部と、ズボン部にゴムや伸縮生地等により設けられた丈調整機構とによりなり、全体が伸ばした状態で利用者の丈よりも長くなっていることを特徴とする乳幼児用衣服。
【発明の詳細な説明】
【０００１】
【発明が属する技術分野】
この発明は、赤ちゃんをおんぶや抱っこした時に、ズボンあるいはカバーオールがずり上がり、足のすねが出るのを防止し、また足先が突っ張らない為の乳幼児用衣服に関するものである。
【０００２】
【従来の技術】
従来より、赤ちゃんのズボンあるいはカバーオールは丈が足首までのもので足先が出るのがほとんどなので、冬場は必ず靴下やタイツをはかせていた。また、靴下付カバーオールも売ってはいるがズボンの丈は身長にあわせたサイズになっている。
【０００３】
【発明が解決しようとする課題】
（イ）  赤ちゃんをおんぶや抱っこした時にズボンがずり上がり足のすねが出て寒かった。
（ロ）  足の動きがさかんで靴下が脱げやすかった。
（ハ）  従来の靴下付カバーオールは、おんぶや抱っこをした時に、足先が突っ張って窮屈だった。
本発明は以上の欠点を解決する為に発明されたものである。
【０００４】
【課題を解決するための手段】
ズボン（１）の裾に足用袋（２）を縫い付ける。ズボン（１）と足用袋（２）のつなぎ部分（３）に足首用ゴム（４）を通す。ズボン（１）の両脇部分に丈用ゴム（５）を伸ばした状態で縫い付ける。
本発明は以上の構成からなる乳幼児用衣服である。
【０００５】
【発明の実施の形態】
以下、本発明の実施の形態を説明する。
【０００６】
図１乃至図２は、本発明に係わる乳幼児用衣服の第１実施例を示している。
（イ）  ズボン（１）の裾に足用袋（２）を縫い付ける。ズボン（１）を伸ばした状態での腰から足までの長さとしては着用させる乳幼児の丈よりも長いものとなっている。この際ズボン生地及び足用袋の生地としては、ズボン（１）と同色、同素材、または、色違い、素材の違う物等、各種組み合わせが可能である。
（ロ）  ズボン（１）と足用袋（２）のつなぎ部分（３）に足首用ゴム（４）を通す。
（ハ）  ズボン（１）の両脇部に丈用ゴム（５）を伸ばした状態で縫い付ける。この際ゴムを付ける位置は、足首部分あるいはひざ部分と場所は限定せずまた、生地の表裏のどちらでもよい。
本発明は以上の構成より成っている。
【０００７】
本発明を使用する時は、足用袋（２）に足首より先を入れ、足首用ゴム（４）が足首の位置にくるように着用させる。赤ちゃんをおんぶや抱っこした場合、ズボンが持ち上がるが、ズボン（１）の両脇部に縫い付けた、丈用ゴム（５）によりできるシャーリング状の布部分が伸縮することにより、丈にゆとりができ赤ちゃんの足が突っ張らなくなる。また、ハイハイの時の赤ちゃんの足の動きにもフィットする。
【０００８】
図３は、本発明に係わる乳幼児用衣服の第１実施例の応用例を示している。
図３に示すように丈用ゴム（５）の取り付け位置を変えることも可能である。図３においては、ひざの両側部に丈用ゴム（５）が設けられている。
【０００９】
図４乃至図５は、本発明に係わる乳幼児用衣服の第１実施例の応用例を示している。
本発明を足付きカバーオール（６）や足付きオーバーオール（７）に利用する場合、両脇裾部に丈用ゴム（５）を縫い付け、足首部分に足首用ゴム（４）を通すだけでよい。
【００１０】
【発明の効果】
本発明はズボンと足首用袋が一体に構成されている事により、赤ちゃんをおんぶや抱っこした時にずり上がって出ていた足のすねが出なくなりまた、靴下も脱げない。赤ちゃんの足丈より長いズボンを両脇部の丈用ゴムによるシャーリングで伸縮可能とさせている為、赤ちゃんが足先を突っ張らせても今までのように窮屈でない。また、母親もおくるみなどでくるまなくても外出できるので荷物も少なく楽である。
【図面の簡単な説明】
【図１】第１実施例を示す正面図である。
【図２】第１実施例を示す側面図である。
【図３】第１実施例を示す側面図である。
【図４】第２実施例を示す正面図である。
【図５】第２実施例を示す正面図である。
【符号の説明】
１    ズボン
２    足用袋
３    つなぎ部分
４    足首用ゴム
５    丈用ゴム
６    足付きカバーオール
７    足付きオーバーオール
【図１】
2004323984.tif 000003
【図２】
2004323984.tif 000004
【図３】
2004323984.tif 000005
【図４】
2004323984.tif 000006
【図５】
2004323984.tif 000007
(57)【要約】【課題】酸性染料の量を減らしても、染色性の良好な酸性染毛料を提供することにより、手や衣服などに染料が付着した場合でも、容易に落とすことができる染毛料にする。【解決手段】精製水中に、整髪用基剤と、ＰＨ調整用の酸と、酸性染料を配合した酸性染毛料において、当該酸性染料を０．０２重量％以下とし、さらにα−ヒドロキシ酸エステル（但しリンゴ酸ジエステルを除く）を２重量％以上添加し、回転速度３５００〜５０００ｒｐｍで１５〜２５分間撹拌して、乳化してなる。また、保湿成分を添加してもよい。【選択図】      なし【特許請求の範囲】
【請求項１】
精製水中に、整髪用基剤と、ＰＨ調整用の酸と、酸性染料を配合した酸性染毛料において、
当該酸性染料を０．０２重量％以下とし、さらにα−ヒドロキシ酸エステル（但しリンゴ酸ジエステルを除く）を２重量％以上添加し、回転速度３５００〜５０００ｒｐｍで１５〜２５分間撹拌して、乳化してなる酸性染毛料。
【請求項２】
前記酸性染料及びα−ヒドロキシ酸エステル（但しリンゴ酸ジエステルを除く）に加えて、さらに保湿成分を添加し、回転速度３５００〜５０００ｒｐｍで１５〜２５分間撹拌して、乳化してなることを特徴とする請求項１に記載の酸性染毛料。
【請求項３】
精製水中に、整髪用基剤と、０．０２重量％以下の酸性染料と、２重量％以上のα−ヒドロキシ酸エステル（但しリンゴ酸ジエステルを除く）を添加した後、ＰＨ調整用の酸を加えＰＨを調整し、次に真空ホモミキサに入れて回転速度３５００〜５０００ｒｐｍで１５〜２５分間撹拌して、乳化することを特徴とする酸性染毛料の製造方法。
【発明の詳細な説明】
【０００１】
【発明の属する技術分野】
本発明は、酸性染料の量を減らしたのにも拘らず染色性の良い酸性染毛料と、その製造方法に関する。
【０００２】
【従来の技術】
従来の酸性染毛料は、精製水中に、整髪用基剤と、ＰＨ調整用の酸と、０．０５重量％以上の酸性染料（法定染料）などを配合したものである。この酸性染毛料では、毛髪への染色を染料の浸透性に頼っており、染色性を上げるために酸性染料の量を増やしている。
【０００３】
このため、手や衣服などに染料が付着した場合、容易に落とすことができないという問題がある。
【０００４】
【発明が解決しようとする課題】
本発明は、上記欠点を解消し、酸性染料の量を減らしても、染色性の良好な酸性染毛料を提供することを目的とする。
【０００５】
【課題を解決する手段】
上記目的を達成するために本発明者らは、鋭意研究の結果、リンゴ酸ジエステルを加えることにより、親水／疎水バランスが良くなり染色性が大きく向上すること、また高速で短時間撹拌することにより酸性染料が微細化し、毛髪に対する浸透性が向上することを知見し、これを出願した（特願２００２−１００７０７号）。
その後研究を続けた結果、リンゴ酸ジエステル以外のα−ヒドロキシ酸エステルを使用してもほぼ同様の効果が得られることを知見して本発明に至った。
【０００６】
すなわち本発明の酸性染毛料は、精製水中に、整髪用基剤と、ＰＨ調整用の酸と、酸性染料を配合した酸性染毛料において、
当該酸性染料を０．０２重量％以下とし、さらにα−ヒドロキシ酸エステル（但しリンゴ酸ジエステルを除く）を２重量％以上添加し、回転速度３５００〜５０００ｒｐｍで１５〜２５分間撹拌して、乳化してなる。
また、保湿成分を添加してもよい。
【０００７】
本発明の酸性染毛料の製造方法は、精製水中に、整髪用基剤と、０．０２重量％以下の酸性染料と、２重量％以上のα−ヒドロキシ酸エステル（但しリンゴ酸ジエステルを除く）を添加した後、ＰＨ調整用の酸を加えＰＨを調整し、次に真空ホモミキサに入れて回転速度３５００〜５０００ｒｐｍで１５〜２５分間撹拌して、乳化することを特徴とする。
【０００８】
前記α−ヒドロキシ酸エステル（但しリンゴ酸ジエステルを除く）としては、酒石酸ジエステル，乳酸エステル，クエン酸エステルなど、化粧料に広く使用されているものを使用する。
前記整髪基剤は、公知のいずれのものであってもよく、特に限定しない。例えば、ポリオキシエチレンラウリルエーテル，ポリアクリル酸アミド，パルミチン酸イソプロピル，軟質流動イソパラフィンを３：２０：５０：５０の割合で配合したものである。
また、ＰＨ調整用の酸は、酸性染毛料中に従来から添加しているものであり、例えばクエン酸を使用する。
また、酸性染料は、従来から使用しているものであり、黒色４０１号、赤色１０２号、黄色４号等の「医薬品等に使用することがタール色素を定める省令」により定められたもの（法定染料）である。
【０００９】
【発明の実施の形態】
以下本発明の製造方法について説明する。
先ず、精製水中に、整髪用基剤と、０．０２重量％以下の酸性染料と、酒石酸ジエステルを２重量％以上を加える。
整髪用基剤は、ポリオキシエチレンラウリルエーテル，ポリアクリル酸アミド，パルミチン酸イソプロピル，軟質流動イソパラフィンを３：２０：５０：５０の割合で配合したものを使用する。
【００１０】
さらに、保湿成分として、１，３−ブチレングリコール，ホホバ油，ツバキ油，メチルフェニルポリシロキサン，Ｄ−パントテニルアルコール，ヒアルロン酸ナトリウム液，混合植物抽出液，加水分解コンキオリン液，加水分解シルク液内の少なくともいずれか一つを添加する。
次に、クエン酸を加えてＰＨを約３．５に調整する。
【００１１】
次に、以上の液体を真空ホモミキサで、回転速度３５００〜５０００ｒｐｍで１５〜２５分間撹拌して、乳化して酸性染毛料とする。
【００１２】
上記酸性染毛料は、高速で短時間撹拌したことにより、酸性染料が微細化し、毛髪に浸透し易くなる。また、酒石酸ジエステルを２重量％以上加えることによりにより、親水／疎水バランスが良くなり染色性が大きく向上する。
なお、前記酒石酸ジエステルに代えて、乳酸エステル，クエン酸エステルなどのα−ヒドロキシ酸エステルを使用してもよい。
【００１３】
【発明の効果】
これを要するに、本発明では、酸性染毛料に、α−ヒドロキシ酸エステルを２重量％以上添加し、回転速度３５００〜５０００ｒｐｍで１５〜２５分間撹拌して、乳化してなるので、親水／疎水バランスが良く、染色性が大きく向上するとともに、酸性染料が微細化し、毛髪に対する浸透性が向上する。よって、酸性染料を０．０２重量％以下と従来の２／５より少なくしても同様の染色性が得られる。よって、染料が少ないので、手や衣服などに染料が付着した場合でも、容易に落とすことができる。
さらに、保湿成分を添加すると、毛髪に対するダーメージが軽減されると共に、染料の浸透性が向上するので、酸性染料をより少なくすることができる。
(57)【要約】本発明は、犬や猫、兎、フェレット等の毛づくろいを習性として行う動物が、その作業で飲み込んだ体毛をタンパク質分解酵素の働きにより溶解するとともに、溶解残の体毛を繊維質の働きにより短時間で体外に便として排出させることを目的としたものに関する。【課題】パイナップル、リンゴ、リグニン、セルロース、ヘミセルロースのうち、１種類以上を含有する動物用毛球排出促進剤とする。また、動物用毛球排出促進剤を１％〜２０％含有した動物用飼料を作製し、毛球症の予防と、症状の緩和を目的とする。【解決手段】そこで本発明は、パイナップルから抽出したタンパク質分解酵素を３％〜５％と、リンゴの微粉末であるアップルファイバーを２０％〜２５％を混合し、それに繊維質を加え、動物用毛球排出促進剤及び毛球排出促進飼料とする。【特許請求の範囲】
【請求項１】
パイナップル、リンゴ、リグニン、セルロース、ヘミセルロースのうち１種類以上を含有することを特徴とする動物用毛球排出促進剤。
【請求項２】
前記動物用毛球排出促進剤を含有することを特徴とする動物用毛球排出促進飼料。
【発明の詳細な説明】
【０００１】
【発明の属する技術分野】
本発明は、犬や猫、兎、フェレット等の毛づくろいを習性として行う動物が、その作業で飲み込んだ体毛を、パイナップル酵素がもつタンパク質分解成分の働きにより溶解するとともに、溶解残の体毛をリグニン、セルロース、ヘミセルロース等の繊維質とリンゴから精製したアップルファイバーの働きにより短時間の内に、体外に便として排出させることを目的とする。
【０００２】
【従来の技術】
動物の多くは、自分の体を定期的に舐めて毛づくろいを行う習性があり、その結果として体毛を体内に取り込んでしまう。体内に入った体毛は食道や胃及び腸などの消化器管で消化されず集まり毛の固まりである毛球となる。毛球は毛づくろいを行う習性を持つ動物にとって、もっとも重大でかつ深刻な問題であり、下痢、便秘、胃炎、嘔吐等の様々な消化器管の障害を招くだけでなく、症状が悪化すると動物が死に至ることもある。
【０００２】
毛球症の治療は、初期段階では、化学物質で構成された薬剤等の投与による嘔吐と、強制的な胃洗浄等に依存するか下剤の投与に依存するケースが多い、
また、症状が進んだ動物の場合は、胃切開などの開腹手術が必要となる場合さえある。
【０００３】
これらの、薬剤投与による方法又は胃洗浄、胃切開等の方法のいずれも動物の母体、特に内臓及び消化器管に障害を与え、後遺症となり真の問題解決とは言えない。
【０００４】
【発明が解決しようとする課題】
そこで本発明は、犬や猫、兎、フェレット等の毛づくろいを習性として行う動物が、その作業で飲み込んだ体毛をタンパク質分解酵素の働きにより溶解するとともに、溶解残の体毛を繊維質の働きにより短時間で体外に便として排出させることを目的とする。
【０００５】
【課題を解決するための手段】
本発明のうち、請求項１記載の発明によれば、パイナップル、リンゴ、リグニン、セルロース、ヘミセルロースのうち、１種類以上を含有する動物用毛球排出促進剤とする。このように構成すれば、パイナップルから抽出したタンパク質分解酵素とリグニン、セルロース、ヘミセルロース等の繊維質とリンゴから精製したアップルファイバーの働きにより、犬や猫、兎、フェレット等の毛づくろいを習性として行う動物が、その作業で飲み込んだ体毛を分解・排出し、毛球症の予防と治療につながることとなる。
なお、パイナップルは、抽出した酵素を使用、リグニン、セルロース、ヘミセルロース等の繊維質は牧草から抽出したものを使用、リンゴはアップルファイバーを使用する。
動物用毛球排出促進剤の原型としては、液剤、粉剤、ゲル剤等が挙げられる。液剤として、水に溶かして投与することもできるし、粉剤やゲル剤として、飼料に混合して投与することもできる。
【０００６】
本発明にうち、請求項２記載の発明によれば、動物用毛球排出促進剤を含有する動物用飼料とする。このように構成すれば、通常の食事とともに動物用毛球排出促進剤が体内に入り、犬や猫、兎、フェレット等の毛づくろいを習性として行う動物が、その作業で飲み込んだ体毛を日常の食事とともに分解・排出し、常に健康な状態に維持することができる。動物用飼料としては、乾燥させた粒状の固形物、半練り状のものが挙げられる。
【０００７】
【発明の実施の形態】
パイナップルから特別に抽出したタンパク質分解酵素を３％〜５％とリンゴの微粉末であるアップルファイバーを２０％〜２５％を混合し、それに不溶性繊維質であるリグニン、セルロース、ヘミセルロースを加え製作する。
【０００８】
【発明の効果】
本発明の動物用毛球排出促進剤を投与すると、パイナップル酵素が持つタンパク質分解成分が毛球を溶解し、溶解残の毛球はリグニン、セルロース、ヘミセルロース等の繊維質とリンゴから精製したアップルファイバーの働きにより便とともに排出する。犬や猫、兎、フェレット等の毛づくろいを習性として行う動物が、その作業で飲み込んだ体毛が、長時間にわたり消化器管に留まることに起因する様々な障害を緩和することとなる。
また、製造工程においても化学薬品処理は一切行わないため地球環境を考慮した理想の動物毛球排出促進剤及び毛球排出促進飼料と言っても過言ではない。
(57)【要約】      （修正有）【課題】赤ちゃんや子供、体の不自由人にも使える家庭の風呂用の桧酵素入浴剤を提供する。【解決手段】桧のオガ粉に酵素と薬草を混ぜて発酵させた後、６０〜７５℃で雑菌を分解した後、自然の温度まで下げ、更に桧チップ、小粒備長炭を添加して袋に詰めた家庭用の桧酵素入浴剤。【選択図】図１
2004323407.tif 000002
【特許請求の範囲】
【請求項１】
桧酵素風呂用のオガ粉にまぜた酵素、桧酵素を袋に詰めて、自宅のお湯のお風呂で入れる事を特徴とする桧酵素入浴剤。
【請求項２】
桧酵素風呂は桧のオガ粉に酵素＊薬草をまぜて発酵させ、温度を６０〜７５℃まで上げて雑菌などを分解してから温度を自然に下げた物に、桧チップ、小粒備長炭を袋に詰めてその成分がお湯に溶け出し請求項１記載の桧酵素入浴剤。
【請求項３】
お湯のお風呂に成分が溶け出した後に請求項２、袋の中身を取り出し、ガーデニングの草花や家庭菜園の土に混ぜて使うと酵素が残っている為、大変良い土が出来る。地球環境や人体にもやさしく安心して有効利用できる桧酵素入浴剤。
【発明の詳細な説明】
【０００１】
【発明の属する技術分野】
この発明は、従来おこなわれている桧酵素風呂の効能および効果を家庭のお湯のお風呂で楽しめる事が出来る様にした物である。
【０００２】
【従来の技術】
従来の桧オガ粉に酵素＊薬草＊その他をほどよくまぜ、酵素が発する発酵熱で図２に示すようにサーマルベットに入り身体を温める自然療法である。
酵素と温熱効果により身体が芯から温まり、血行、血流をよくし、発汗作用を活発にし老廃物が汗と共に排出される為、腰痛、肩こり、神経痛、リュウマチなどの痛みや、乾燥肌、肌荒れ、アトピーの肌に関する事又、女性の冷え性、生理痛、等でお悩みの多くの人に効果が見られ、新陳代謝が活発になり人間が持ちえる自然治癒力が高まり免疫力がアップする。
【０００３】
【発明が解決しようとする課題】
しかしながら、以上の従来技術によれば、赤ちゃんや小さな子供はオガ粉を口に入れたりまた怖がったり、体の不自由な方は寝たり起立が大変困難である。
そこで、この発明は、お湯のお風呂に出来る事により足だけを入れる足湯などにも応用できるため、誰もが入れる桧酵素風呂を提供することを課題とする。
【０００４】
【課題を解決するための手段】
以上の課題を解決するために、請求項１の発明は、桧酵素風呂用のオガ粉にまぜた酵素、桧酵素を自宅のお湯のお風呂で入れる事を特徴とする。
また、請求項２の発明は、桧酵素風呂は桧のオガ粉に酵素＊薬草をまぜて発酵させ、温度を６０〜７５℃まで上げて雑菌などを分解してから温度を自然に下げた物を、桧チップ、小粒備長炭を袋に詰めてその成分がお湯に溶け出すようにした。
【０００５】
【発明の実施の形態】
この発明の一実施形態を、図１に示す。
桧酵素風呂は桧のオガ粉に酵素＊薬草をまぜて発酵させ、温度を６０〜７５℃まで上げて雑菌などを分解してから温度を下げ、桧チップ、備長炭を袋に詰めてお風呂に投入し、３０〜１時間後その成分がお湯に溶け出してから入浴しそれを特徴とする。
【０００６】
【実施形態の効果】
この実施形態によれば、図１で誰でも手軽に桧酵素風呂の効能や効果が実感して楽しむ事ができる。
【０００７】
【他の実施形態】
図１の実施形態では、桧オガ粉、酵素、備長炭を袋に詰めて、お風呂中に入れるが、他の実施形態では、あなを掘ってもらい、中に入って寝た状態で身体にかける。
【０００８】
【発明の効果】
以上説明したように、この発明によれば、家庭のお風呂で誰でも桧酵素風呂の効能や効果を実感出来る。
【０００９】
しかしながら、以上の従来技術によれば、小さな子供はオガ粉を口に入れたりまた怖がったりし、体の不自由な方は寝たり起立が大変困難である。
そこで、この発明は、足だけを入れる足湯などにも応用ができ、誰もが入れるお湯のお風呂で酵素を楽しむことを提供することを課題とする。
【図面の簡単な説明】
【図１】この発明の一実施形態を示す斜視図である。
【図２】従来技術を示す斜視図である。
【符号の説明】
１、袋本体
２、人体
３、桧のオガ粉
【図１】
2004323407.tif 000003
【図２】
2004323407.tif 000004